(57)【要約】      （修正有）【課題】損傷し難く、内部に浸水があったとしても、浮力体が水を含んでしまうことがほとんどなく、水上で荒波にさらされ逆さまになった場合であっても、元の姿勢に復原可能であり、リサイクル可能で環境にも配慮した水上浮遊型シェルターを提供する。【解決手段】水上浮遊型シェルター１に次の手段を採用する。第１に、内部フレーム及び外板４を鉄材とすると共に内側に発泡スチロールよりなる浮力体５を配置し、外形を略円筒形とし、中空の室内スペース２を設ける。第２に、浮力体の浮力が水上浮遊型シェルターの搭乗時満載総重量より大きなものであると共に、水上浮遊型シェルターが水上で常に正の復原性を有するよう底面に重心調整板７を設ける。第３に、上面開閉扉８と側面開閉扉とを設ける。【選択図】図４
2014061737.tif 000002
【特許請求の範囲】
【請求項１】
内部フレーム及び外板を鉄材とすると共に内側に発泡スチロールよりなる浮力体を配置してなる略円筒形で内部に中空の室内スペースを有する水上浮遊型シェルターであって、前記浮力体の浮力が該水上浮遊型シェルターの搭乗時満載総重量より大きなものであると共に、前記水上浮遊型シェルターが水上で常に正の復原性を有するよう底面に重心調整板が設けられるとともに、該水上浮遊型シェルターには上面開閉扉と側面開閉扉が設けられたことを特徴とする水上浮遊型シェルター。
【請求項２】
上記側面開閉扉の下端部が上記水上浮遊型シェルターが浮いた状態で水面付近に位置することを特徴とする請求項１記載の水上浮遊型シェルター。
【発明の詳細な説明】
【技術分野】
【０００１】
本発明は、津波や大水害の際に避難者を収容して安全を確保するための水上浮遊型シェルターの改良に関する。
【背景技術】
【０００２】
従来の津波や大水害の際の避難用のシェルターは、避難者を守るため津波や水害により流されてくる瓦礫等の衝突に耐えられるような強度が必要である。そこで、特許文献１（特許第３７５２５１６号）に示されるように水上浮遊型シェルターであるカプセルが、チタン合金等の金属製素材によって形成されるものが提供された。しかし、金属チタンは強度・軽さ・耐食性・耐熱性を備え、様々な分野で活用されているが、金属チタンは製錬・加工が難しく費用がかかる素材であった。そのためシェルターを金属製チタンで製作すると高価なものとなってしまうという問題点を有していた。
【０００３】
従って、多くのシェルターは、その材質が、ＦＲＰと言われるウレタンや樹脂繊維などからなるものが主流であった。ＦＲＰは、安価・軽量で耐久性がよいことから、小型船舶の船体や、自動車・鉄道車両の内外装、ユニットバスや浄化槽などの住宅設備機器で大きな地位を占めている。しかし、ＦＲＰは、リサイクルができず、且つ、紫外線による経年劣化が避けられないという問題が残った。
【０００４】
又、従来のシェルターの浮力体は、シェルター内の空気であったが、特許文献２（実用新案登録第３１７３９９８号）に示されるように、空気ボンベから充満される空気によりシェルターの長時間の水没にも耐えるための空気を確保することや、シェルターが倒れた場合にその浮力体となるエアーバックを備えること等の提案はなされているが、水上浮遊型シェルターが損傷し、シェルター内部に水が入り込んで、沈んでしまうという問題に対しては解決手段を有するものではなかった。
【先行技術文献】
【特許文献】
【０００５】
【特許文献１】特許第３７５２５１６号特許公報
【特許文献２】実用新案登録第３１７３９９８号登録実用新案公報
【発明の概要】
【発明が解決しようとする課題】
【０００６】
本発明は、上記問題点を解決するため、内部フレーム及び外板を鉄材とし、浮力体に発泡スチロールを用いることにより、リサイクルが可能であり、且つ、安価で瓦礫等の衝突に対しても一定の強度を有する水上浮遊型シェルターを提供すると共に、内側の浮力体を発泡スチロールとして、該浮力体の浮力が水上浮遊型シェルターの搭乗時満載総重量より大きなものとすることにより、内部に浸水があったとしても、浮力体が水を含んでしまうことがほとんどなく、不沈の水上浮遊型シェルターを提供することを目的とする。
【課題を解決するための手段】
【０００７】
上記課題を解決するため、第１の発明は、水上浮遊型シェルターに次の手段を採用する。
第１に、内部フレーム及び外板を鉄材とすると共に内側に発泡スチロールよりなる浮力体を配置してなる略円筒形で内部に中空の室内スペースを有する水上浮遊型シェルターとする。
第２に、前記浮力体の浮力が該水上浮遊型シェルターの搭乗時満載総重量より大きなものであると共に、水上浮遊型シェルターが水上で常に正の復原性を有するよう底面に重心調整板が設けられる。
第３に、水上浮遊型シェルターに上面開閉扉と側面開閉扉が設けられる。
【０００８】
第２の発明は、第１の発明に、上記側面開閉扉の下端部が水上浮遊型シェルターが浮いた状態で水面付近に位置することを付加した水上浮遊型シェルターとする。
【発明の効果】
【０００９】
第１の発明は、次の効果を有する。
第１に、内部フレーム及び外板を鉄材からなる水上浮遊型シェルターとすることにより、損傷し難い水上浮遊型シェルターとなった。
第２に、内側に発泡スチロールよりなる浮力体を配置し、該浮力体の浮力が水上浮遊型シェルターの搭乗時満載総重量より大きなものとすることにより、内部に浸水があったとしても、浮力体が水を含んでしまうことがほとんどなく、不沈の水上浮遊型シェルターとなった。
第３に、水上浮遊型シェルターが水上で常に正の復原性を有するよう底面に重心調整板が設けられることにより、水上で荒波にさらされ逆さまになった場合であっても、元の姿勢に復原可能な水上浮遊型シェルターとなった。
第４に、水上浮遊型シェルターに上面開閉扉と側面開閉扉が設けられることにより、陸地に打ち上げられた場合に、片側の開閉扉が塞がれた場合であっても、もう一方の開閉扉から脱出可能な水上浮遊型シェルターとなった。
第５に、鉄と発泡スチロールを主たる材料とすることにより、リサイクル可能で環境にも配慮した水上浮遊型シェルターとなった。
【００１０】
第２の発明の効果ではあるが、側面開閉扉の下端部が水上浮遊型シェルターが浮いた状態で水面付近に位置することにより、水上に浮いている状態でも避難者が乗り込むことのできる水上浮遊型シェルターとなった。
【図面の簡単な説明】
【００１１】
【図１】本発明の第１実施例を示す水上浮遊型シェルターの概略斜視図
【図２】同概略平面説明図
【図３】上部開閉扉及び側部開閉扉を開いた状態の概略斜視図
【図４】内部構造を示すＡ−Ａ線断面図
【図５】フレーム構造を示す説明図
【発明を実施するための形態】
【００１２】
以下、図示の実施例と共に本発明の実施の形態について説明する。図１は、本発明の第１実施例を示す水上浮遊型シェルターの概略斜視図であり、図２は同概略平面説明図である。図中符号１は、水上浮遊型シェルターであり、更に、図４は水上浮遊型シェルターの内部構造を示すＡ−Ａ線断面図である。図示されるように水上浮遊型シェルター１は、外形が円筒形で、内部に中空の室内スペース２を有する
【００１３】
水上浮遊型シェルター１は、図４に示されるように躯体を構成する内部フレーム３と、内部フレーム３に支持される外板４と、外板４の内側に張られた浮力体５と、内部フレーム３及び浮力体５の内側に貼られた内壁６とよりなり、水上浮遊型シェルター１の底面には重心調整板７が設けられるとともに、出入り口としての上面開閉扉８と側面開閉扉９が設けられている。
【００１４】
内部フレーム３、外板４、重心調整板７、上面開閉扉８及び側面開閉扉９は、鉄製で製作される。特に外板４等外部にある部材が、鉄でできているため津波に流されてきた瓦礫などが水上浮遊型シェルター１にぶつかっても割れることがない。更には、水上浮遊型シェルター１がが津波などにより流されたり、転がされたりして、電柱や岩石といった堅く大きな物体と衝突した場合にも割れないものとなった。
【００１５】
図５は、フレーム構造を示す説明図であり、内部フレーム３は、上下方向を支える縦フレーム３１と周囲方向を支えるリングフレーム３２と側面開閉扉用フレーム３３とでなる。各フレーム３１，３２，３３とも鉄製である。そのため、水上浮遊型シェルター１に大きな衝撃が加わったとしても潰れてしまったり、変形してしまったりすることがない。
【００１６】
尚、図５には、内部フレーム３ではないが上端部の上面開閉扉８と底面の重心調整板７が示されている。この上面開閉扉８及び重心調整板７は、内部フレーム３と同様、鉄製である。
【００１７】
図4に示されるように外板４の内側には浮力体５が貼られている。浮力体５は、発泡スチロールで構成される。浮力体５にはポリカーボネートよりなる内壁６が貼られている。主たる構成部材である外板４、内部フレーム３，上面及び側面開閉扉８，９などが鉄でできている上、浮力体５が発泡スチロールというリサイクル可能素材を利用している。従来のFRＰなどが、リサイクル不可能な産業廃棄物であったことと比較して環境に優しいものとなった。
【００１８】
外板４の内側に貼られた浮力体５が、発泡スチロールという水分吸収力の少ない素材で製作されているため、水上浮遊型シェルター１の内部に浸水があった場合でも、浮力体５が吸水してしまい浮力を失う危険がない。従来の津波用シェルターなどでは、空気により浮遊させるものがほとんどであったが、空気を浮力体として利用する場合には、室内スペース２内に浸水すると沈んでしまうものであったが、本発明の水上浮遊型シェルター１は室内スペース２にいくら水が入っても沈むことがない。
【００１９】
尚、浮力体５の浮力は、水上浮遊型シェルター１の搭乗時満載総重量より大きなものとする。従って、素材の発泡スチロールの特性と相まって、室内スペース２に浸水があった場合にも一定以上の水は入らない。
【００２０】
水上浮遊型シェルター１が水上で常に正の復原性を有するよう水上浮遊型シェルター１の底面には重心調整板７が設けられている。下を重くして重心を下方にしてある。逆さになっても元の状態に戻れる。更に、重心調整板７の重量により、水上浮遊型シェルター１には喫水線が発生するので、津波の押し波では山側へと流され、津波の引き波の時には海まで流されずに止まることができる。
【００２１】
水上浮遊型シェルター１には室内スペース２への出入り口としての上面開閉扉８と側面開閉扉９が設けられている。津波の後、水がなくなったとき水上浮遊型シェルター１が転倒しており、１つの出入り口が下面を向いてしまったり、瓦礫で扉が開かなくなった場合でも、もう一方の出入り口が利用可能となるので安全である。
【００２２】
尚、側面開閉扉９の下端部が水上浮遊型シェルター１が浮いた状態で水面付近（喫水線より少し上部）に位置するようにしているため、津波や大水害時に水上に浮いている状態の避難者を室内スペース２の引っ張り込むこともできる。更に、側面開閉扉９は、当然のことながら一定の低いところにあるので、歩行困難者等の障害者でも簡単に乗り込むことができる。
【００２３】
尚、水上浮遊型シェルター１の喫水線より少し上部の２カ所に自動排水口１０が設けられている。自動排水口１０は逆止弁構造体であって、室内スペース２内の水を外部に排出することはできるが、外部の水を室内スペース２内に流れ込まないようにされている。勿論、自動排水口１０のみで室内スペース２に浸水した水を全て排出することはできないので、図示はされていないが、室内スペース２には、手動ポンプが設置されており、室内スペース２内への浸水を外へ排出することができるようになっている。
【符号の説明】
【００２４】
１・・・・・・・・水上浮遊型シェルター
２・・・・・・・・室内スペース
３・・・・・・・・内部フレーム
４・・・・・・・・外板
５・・・・・・・・浮力体
６・・・・・・・・内壁
７・・・・・・・・重心調整板
８・・・・・・・・上面開閉扉
９・・・・・・・・側面開閉扉
３１・・・・・・・縦フレーム
３２・・・・・・・リングフレーム
３３・・・・・・・側面開閉扉用フレーム
【図１】
2014061737.tif 000003
【図２】
2014061737.tif 000004
【図３】
2014061737.tif 000005
【図４】
2014061737.tif 000006
【図５】
2014061737.tif 000007